(57)【要約】【課題】本発明は、記録媒体の製造方法とそれによって製造された記録媒体に関するもので、生産性を向上することを目的とするものである。【解決手段】そして、この目的を達成するために本発明は、板状の記録媒体１７の一面側にタルボ効果活用マスク１５を配置し、この記録媒体１７の一面側から、この記録媒体１７内に、前記タルボ効果活用マスク１５を介して第一の平行光１８を入射させるとともに、前記記録媒体１７の他面側からこの記録媒体１７内に、第二の平行光１９を入射させる。【選択図】図１
2011096293.tif 000002
【特許請求の範囲】
【請求項１】
板状の記録媒体の一面側にタルボ効果活用マスクを配置し、この記録媒体の一面側から、この記録媒体内に、前記タルボ効果活用マスクを介して第一の平行光を入射させるとともに、前記記録媒体の他面側からこの記録媒体内に、第二の平行光を入射させる記録媒体の製造方法。
【請求項２】
透明基板の一面にタルボ効果活用マスクを配置し、このタルボ効果活用マスクに記録媒体の一面側を対向配置させる請求項１に記載の記録媒体の製造方法。
【請求項３】
透明基板の一面にタルボ効果活用マスクを配置し、このタルボ効果活用マスクを上面側として透明基板を水平方向に配置し、このタルボ効果活用マスクの上面に、記録媒体の下面を対向配置させる請求項１、または２に記載の記録媒体の製造方法。
【請求項４】
透明基板としてガラス基板を用いた請求項２、または３に記載の記録媒体の製造方法。
【請求項５】
タルボ効果活用マスクには位置マーカーを設けた請求項１〜４のいずれか一つに記載の記録媒体の製造方法。
【請求項６】
請求項１〜５のいずれか一つに記載の記録媒体の製造方法を用いて製造された記録媒体であって、この記録媒体内のタルボ効果活用マスク側には、複数層のホログラム層が形成された活用層とし、前記記録媒体内のタルボ効果活用マスクとは反対側には、ホログラム層を活用しない非活用層とした記録媒体。
【請求項７】
記録媒体内における活用層と非活用層の厚みは略同じ厚さとした請求項６に記載の記録媒体。
【請求項８】
記録媒体内の活用層において、タルボ効果活用マスク側から数えて奇数番目の層は、タルボ効果活用マスクを逆転写したものとし、タルボ効果活用マスク側から数えて偶数番目の層は、タルボ効果活用マスクを正転写したものとし請求項６、または７に記載の記録媒体。
【発明の詳細な説明】
【技術分野】
【０００１】
本発明は、厚さ方向に、複数のホログラム層を多層状態で設けた記録媒体の製造方法とそれによって製造された記録媒体に関するものである。
【背景技術】
【０００２】
近年、記録容量を大きくするために、下記特許文献１に示すごとく、多層記録された記録媒体が提案されている。
【０００３】
すなわち、下記特許文献１に示すものでは、図１０（ｃ）のごとく、円板状の記録媒体１内の厚さ方向に、複数のホログラム層２を多層状態で設けているので、記録容量は極めて大きくなる。
【０００４】
この特許文献１に示した従来例の特徴点は、記録媒体１内に、マイクロホログラム３が渦巻状に配置されたホログラム層２を、複数層設けているので、この記録媒体１への記録時でも、再生時でも、記録媒体１の片側から、そのマイクロホログラム３に向けて光を照射すれば良いという点である。
【０００５】
すなわち、記録時には、記録媒体１の片側から、その記録部分のマイクロホログラム３に光を照射し、光学的な変質を起こさせ、マイクロホログラム３を消失させる部分と、光を照射せず、マイクロホログラム３を残存させる部分とを形成することで、デジタル的な記録を行うことができる。
【０００６】
また、再生時にも、記録媒体１の片側から、マイクロホログラム３の消失部分と、マイクロホログラム３の残存部分に光を照射し、そこからの反射光を読み取れば、デジタル的な再生を行うことができる。
【先行技術文献】
【特許文献】
【０００７】
【特許文献１】米国特許第７３８８６９５号明細書
【発明の概要】
【発明が解決しようとする課題】
【０００８】
上記従来例においては、下記の手順により記録媒体１を製造している。
【０００９】
先ず、図７に示す様に、マスターディスク４の一外面側から（例えば上面から）、このマスターディスク４に向けて参照光５を入射させるとともに、このマスターディスク４の他外面側から（例えば下面から）、このマスターディスク４に向けて記録光６を入射させ、マスターディスク４内にマイクロホログラム７を形成し、これによりマスターディスク４を完成させる。
【００１０】
次に、図８に示す様に、マスターディスク４に共役マスターディスク８を重合させ、その状態で図９（ａ）のごとく、共役マスターディスク８側から平行光９を入射させる。
【００１１】
すると、図９（ｂ）のごとく、マスターディスク４内のマイクロホログラム７からの反射光１０が発生し、この反射光１０と前記平行光９が共役マスターディスク８内で干渉することで、この共役マスターディスク８内にホログラム１１が形成される。つまり、これにて共役マスターディスク８が完成する。
【００１２】
その後、図１０（ａ）に示す様に、共役マスターディスク８に、まだブランクディスク状態の記録媒体１を重合させ、記録媒体１側から平行光１２を入射させる。
【００１３】
すると、図１０（ｂ）に示す様に、ホログラム１１からの反射光１３が発生し、この反射光１３と前記平行光１２がブランクディスク状態の記録媒体１内で干渉することで、この記録媒体１内にマイクロホログラム３が形成される。つまり、記録媒体１が完成する。
【００１４】
以上の説明で明らかな様に、従来の記録媒体１の製造方法は、マスターディスク４と共役マスターディスク８を事前に形成しなければならないので、非常に手間のかかるもので、生産性が低いものであった。
【００１５】
そこで、本発明は、記録媒体の生産性を向上することを目的とするものである。
【課題を解決するための手段】
【００１６】
そして、この目的を達成するために本発明は、板状の記録媒体の一面側にタルボ効果活用マスクを配置し、この記録媒体の一面側から、この記録媒体内に、前記タルボ効果活用マスクを介して第一の平行光を入射させるとともに、前記記録媒体の他面側からこの記録媒体内に、第二の平行光を入射させ、これにより所期の目的を達成するものである。
【発明の効果】
【００１７】
以上の様に本発明は、板状の記録媒体の一面側にタルボ効果活用マスクを配置し、この記録媒体の一面側から、この記録媒体内に、前記タルボ効果活用マスクを介して第一の平行光を入射させるとともに、前記記録媒体の他面側からこの記録媒体内に、第二の平行光を入射させるものであるので、記録媒体の生産性を向上することができる。
【００１８】
すなわち、本発明によれば、従来用いられていたマスターディスクと共役マスターディスクを事前に形成する必要が無く、記録媒体内に直接、複数層のホログラム層を形成することができるので、極めて生産性の高いものになるのである。
【図面の簡単な説明】
【００１９】
【図１】本発明の実施の形態１にかかる記録媒体の製造方法を示すブロック図
【図２】（ａ）同製造方法で用いるタルボ効果活用マスクの平面図（ｂ）同断面図
【図３】同記録媒体の製造方法を示すブロック図
【図４】同記録媒体の製造方法を示すブロック図
【図５】（ａ）本発明の実施の形態２にかかる記録媒体の斜視図（ｂ）同記録媒体の拡大断面図
【図６】（ａ）同タルボ効果活用マスクをガラス基板側から見た下面図（ｂ）同タルボ効果活用マスク光の断面図
【図７】従来の製造方法を示す図
【図８】同製造方法を示す図
【図９】（ａ）〜（ｃ）同製造方法を示す図
【図１０】（ａ）〜（ｃ）同製造方法を示す図
【発明を実施するための形態】
【００２０】
以下、本発明の一実施形態を、添付図面を用いて説明する。
【００２１】
（実施の形態１）
図１は本発明の一実施形態を示し、１４は透明基板の一例として用いた円板状のガラス基板で、その中心部分には貫通孔１４ａが形成されている。
【００２２】
また、このガラス基板１４の上面には図２に示す様なタルボ効果活用マスク１５が設けられている。
【００２３】
このタルボ効果活用マスク１５は、ガラス基板１４の上面側に、フォトマスク形成方法により形成したものであり、極めて簡単に形成することができる。
【００２４】
この実施形態では、タルボ効果活用マスク１５は、図２に示す様に複数のリング状の開口１６が同心円状に配置された状態となっている。
【００２５】
再び図１に戻って説明を続けると、ガラス基板１４は、タルボ効果活用マスク１５を上面側として水平方向に配置されており、この状態において、このタルボ効果活用マスク１５の上面には、円板状の記録媒体１７を載せる。
【００２６】
この状態においては、記録媒体１７の下面にタルボ効果活用マスク１５が対向配置された状態となっている。
【００２７】
なお、本実施形態の記録媒体１７は、上述のごとく円板状で、その中心部分に貫通孔１７ａを有するもので、上記先行技術でも用いられている合成樹脂で形成されている。
【００２８】
つまり、この記録媒体１７の一面側（図１の下面側）から、この記録媒体１７内に、前記タルボ効果活用マスク１５を介して第一の平行光１８を入射させるとともに、前記記録媒体１７の他面側（図１の上面側）からこの記録媒体１７内に、第二の平行光１９を入射させ、干渉させることにより、感光によるホログラム層２０（図４）を複数層形成することができるものである。
【００２９】
具体的には本実施形態においては、図４のごとく、先ず、上面に図２に示す様なタルボ効果活用マスク１５が設けられたガラス基板１４の貫通孔１４ａに回転軸２１を貫通させることでこのガラス基板１４を水平配置する。
【００３０】
次にタルボ効果活用マスク１５に記録媒体１７の下面が対向配置される様に、貫通孔１７ａに回転軸２１を貫通させ、このタルボ効果活用マスク１５と記録媒体１７の位置合わせを行う。
【００３１】
その後、記録媒体１７の上面側に、円板状のガラス基板２２を載せる。このガラス基板２２にも貫通孔２２ａが設けられているので、この貫通孔２２ａも回転軸２１で貫通させ、この状態では回転軸２１の上端がガラス基板２２上に突出する状態としている。
【００３２】
したがって、このガラス基板２２上への突出部に磁石製の蓋２３を吸着させれば、記録媒体１７はタルボ効果活用マスク１５側に適切な負荷で付勢されるので、回転軸２１をモータ（図示せず）で回転駆動しても、記録媒体１７とタルボ効果活用マスク１５との相対位置がずれることは無い。
【００３３】
さてこの様な設定が完了すると、長コヒーレント光源２４から４０５ｎｍの光を発射させる。
【００３４】
この光はレンズ２５で平行光に偏向され、これがハーフミラー２６で二方向に分岐され、その一方が上記第一の平行光１８となり、他方が第二の平行光１９となる。
【００３５】
そして第一の平行光１８はミラー２７で反射された後、ガラス基板１４、タルボ効果活用マスク１５の開口１６を介して記録媒体１７の下面から、この記録媒体１７内に進入する。
【００３６】
また、第二の平行光１９はミラー２８、２９で反射された後、ガラス基板２２を介して記録媒体１７の上面からこの記録媒体１７内に進入する。
【００３７】
さて、上記タルボ効果活用マスク１５の開口１６を介して記録媒体１７の下面から、この記録媒体１７内に第一の平行光１８が進入すると、タルボ効果により図３のごとく記録媒体１７内にはタルボ距離Ｔ／２毎にタルボ再生像３０が形成される。
【００３８】
この時、タルボ効果活用マスク１５側から数えて奇数番目のタルボ再生像３０は、タルボ効果活用マスク１５を逆転写したものとなっており、またタルボ効果活用マスク１５側から数えて偶数番目のタルボ再生像３０は、タルボ効果活用マスク１５を正転写したものとなっている。
【００３９】
その理由は、タルボ効果としてはよく知られている様に、０次光３１とその左右の１次回折光３２による作用からである。
【００４０】
さてこの様に第一の平行光１８により記録媒体１７内にタルボ再生像３０が形成された状態で、上述のごとく第二の平行光１９が記録媒体１７内に進入すると、光の干渉により図４のホログラム層２０を形成することができる。
【００４１】
本実施形態においては、ホログラム層２０は、厚さが１．２ｍｍの記録媒体１７内に、１０μｍ間隔で、約１００層程度形成できるが、その内のタルボ効果活用マスク１５側の５０層を活用層とし、それよりもガラス基板２２側、つまりタルボ効果活用マスク１５とは反対側の層（約５０層）は非活用層とした。
【００４２】
その理由は、第一の平行光１８が記録媒体１７のガラス基板２２側端面で反射すること等により、この部分に形成されるタルボ再生像３０が不鮮明になることなどの理由によるものである。
【００４３】
したがって、この様な影響を回避することができれば、より多くのホログラム層２０を活用層とすることができる。
【００４４】
なお、以上の様にホログラム層２０を形成するためには、回転軸２１を回転駆動するとともに、ミラー２７、２９を同期した状態で、記録媒体１７の半径方向に移動させる様にしている。
【００４５】
なお、第一の平行光１８と第二の平行光１９の照射面積を、タルボ効果活用マスク１５および記録媒体１７に比較して、大きくすることが可能であれば、タルボ効果活用マスク１５および記録媒体１７の全体に、一度に、第一の平行光１８と第二の平行光１９を照射して、一度の照射で、ホログラム層２０を記録媒体全体に作製することも可能である。
【００４６】
さてこの様にして形成された記録媒体１７内には同心円状にホログラム層２０が形成されているので、この記録媒体１７への情報記録、および情報読み出しは次の様にして行われる。
【００４７】
つまり、この記録媒体１７を、記録再生装置（図示せず）に装着し、情報記録と、その後の再生を行う様になっている。
【００４８】
具体的には、記録時は、記録再生用のレンズ（図示せず）で、例えば「デジタル信号の１」に相当する場所のホログラム層２０部分に記録再生光（波長４０５ｎｍ）を収束し、その部分のホログラムを消失させる。逆に「デジタル信号の０」に相当する部分のホログラム部分には光を照射せず、これによりホログラムを残す。
【００４９】
その後、記録した情報を再生する時には、波長４０５ｎｍの記録再生光をレンズ（図示せず）を介してホログラム層２０に照射し、そこからの反射光からデジタル信号の再生を行う。
【００５０】
つまり、ホログラムが消失した部分からは記録再生光の反射光は無く、ホログラムが残った部分からは記録再生光の反射光が有る状態となるので、この反射光の有無によりデジタル信号の再生を行うのである。
【００５１】
なお、再生時には、記録媒体１７が連続的に高速回転しており、しかも記録再生光の照射時間が極めて短時間であり、また照射パワーも記録時に比較して、非常に低く、よってホログラム層２０の残っているホログラムが劣化することは無い。
【００５２】
（実施の形態２）
図５は本発明の実施の形態２の記録媒体３３を示し、この記録媒体３３では、その内部に螺旋状のホログラム層３４が、記録媒体３３の厚み方向に複数層設けられている点が、上記実施の形態１とは異なり、その他は基本的には同じものとなっている。
【００５３】
つまり、このホログラム層３４も図４のホログラム層２０も図５から理解される様に帯状となっているが、図５に示したホログラム層３４は螺旋状となっていることが特徴である。
【００５４】
このため、図６に示す様に、このホログラム層３４を形成するためのタルボ効果活用マスク３５も、その開口３６が螺旋状となっている。
【００５５】
なお、この図６（ａ）は、タルボ効果活用マスク３５をその下のガラス基板３７側から見た状態を示しており、タルボ効果活用マスク３５の開口３６とホログラム層３４の旋回方向は当然のこととして同じものとなっている。
【００５６】
また、この実施の形態２におけるガラス基板３７にも、その中心部分に貫通孔３７ａが形成されている。
【００５７】
さらに、タルボ効果活用マスク３５の外周部分には、位置マーカー３８を設けており、この位置マーカー３８を基準として、螺旋状のホログラム層３４を形成する様にしている。
【産業上の利用可能性】
【００５８】
以上の様に本発明は、板状の記録媒体の一面側にタルボ効果活用マスクを配置し、この記録媒体の一面側から、この記録媒体内に、前記タルボ効果活用マスクを介して第一の平行光を入射させるとともに、前記記録媒体の他面側からこの記録媒体内に、第二の平行光を入射させるものであるので、記録媒体の生産性を向上することができる。
【００５９】
すなわち、本発明によれば、従来用いられていたマスターディスクと共役マスターディスクを事前に形成する必要が無く、記録媒体内に直接、複数層のホログラム層を形成することができるので、極めて生産性の高いものになるのである。
【００６０】
このため、記録媒体の製造方法およびそれによって製造される記録媒体として、広く活用が期待される。
【符号の説明】
【００６１】
１４    ガラス基板
１４ａ，１７ａ，２２ａ，３７ａ    貫通孔
１５，３５    タルボ効果活用マスク
１６，３６    開口
１７，３３    記録媒体
１８    第一の平行光
１９    第二の平行光
２０，３４    ホログラム層
２１    回転軸
２２，３７    ガラス基板
２３    蓋
２４    長コヒーレント光源
２５    レンズ
２６    ハーフミラー
２７，２８，２９    ミラー
３０    タルボ再生像
３１    ０次光
３２    １次回折光
【図１】
2011096293.tif 000003
【図２】
2011096293.tif 000004
【図３】
2011096293.tif 000005
【図４】
2011096293.tif 000006
【図５】
2011096293.tif 000007
【図６】
2011096293.tif 000008
【図７】
2011096293.tif 000009
【図８】
2011096293.tif 000010
【図９】
2011096293.tif 000011
【図１０】
2011096293.tif 000012